(57)【要約】【課題】脚支柱が前方に揺動されることで座体が机の天板の下方に収納される椅子において、使用者が着席する際に、椅子と机との間の空間に使用者が足を入れ易くすることができ、かつ使用者の臀部を座体の上面に配置し易くすることができる椅子を提供すること。【解決手段】床に固定された机９の後方に設置される椅子１であって、脚支柱４の上端には、背凭れ６が固定された支持体５が設けられ、支持体５に対して座体７が屈曲自在に取り付けられるとともに、座体７の前端部から後端部までの前後幅を伸縮させる伸縮手段１３が支持体５に設けられており、座体７は、伸縮手段１３によって座体７の前後幅が縮められることで座体７が側面視で略傘型形状をなす屈曲位置と、伸縮手段１３によって座体７の前後幅が伸ばされることで座体７が側面視で略水平をなす水平位置と、の間で切り換え可能となっている。【選択図】図６
2009172087.tif 000002
【特許請求の範囲】
【請求項１】
床に固定された机の後方に設置される椅子であって、
床に固定されたベースに対して前後方向に揺動可能に枢支された脚支柱を有し、該脚支柱の上端には、背凭れが固定された支持体が設けられ、該支持体に対して座体が屈曲自在に取り付けられるとともに、該座体の前端部から後端部までの前後幅を伸縮させる伸縮手段が前記支持体に設けられており、前記座体は、前記伸縮手段によって前記座体の前記前後幅が縮められることで該座体が側面視で略傘型形状をなす屈曲位置と、前記伸縮手段によって前記座体の前記前後幅が伸ばされることで該座体が側面視で略水平をなす水平位置と、の間で切り換え可能となっていることを特徴とする椅子。
【請求項２】
前記伸縮手段は、前記支持体の前部に配置された左右方向を向く軸心に対して揺動されるリンク部材により構成されており、該リンク部材を介して前記座体の前部が前記支持体に取り付けられていることを特徴とする請求項１に記載の椅子。
【請求項３】
前記脚支柱を前方に向けて付勢する脚支柱付勢手段が設けられていることを特徴とする請求項１または２に記載の椅子。
【請求項４】
前記座体を前記屈曲位置に向けて付勢する座体付勢手段が設けられていることを特徴とする請求項１ないし３のいずれかに記載の椅子。
【請求項５】
前記座体は、前後方向の略中央部に形成された屈曲部によって屈曲されるようになっており、前記水平位置の座体の前記屈曲部を下方から支持する座体支持部が、前記支持体に設けられていることを特徴とする請求項１ないし４のいずれかに記載の椅子。
【請求項６】
前記座体は、前後方向の略中央部に形成された屈曲部によって屈曲されるようになっており、前記座体の前端部から前記屈曲部までの前後幅よりも、前記座体の後端部から前記屈曲部までの前後幅が大きくなっていることを特徴とする請求項１ないし５のいずれかに記載の椅子。
【発明の詳細な説明】
【技術分野】
【０００１】
本発明は、脚支柱が前方に揺動されることで座体が床に固定された机の天板の下方に収納される椅子に関する。
【背景技術】
【０００２】
従来の収納式椅子は、上面に座を有する座受け（座体）と、床面にボルト等で固設された脚座（ベース）との間に、前脚と後脚が回動可能に設けられており、後脚に取り付けられたガススプリングが、座受けを前脚の上端の軸を支点として回動するように付勢している。この椅子は、不使用時に後脚から上方に延びる背もたれを前方に倒すことで椅子全体が前方に回動して、座受けが机の天板下方に収納されるようになっている。また、使用する際には、使用者が背もたれを後方に引いたときに、座受けが略垂直に傾斜された状態として、椅子と机との間に使用者が足を踏み入れる空間を形成して、座受けが邪魔にならないようにしている（例えば、特許文献１参照）。
【０００３】
【特許文献１】特許第３８０３６４２号公報（第４頁、第５図）
【発明の開示】
【発明が解決しようとする課題】
【０００４】
しかしながら、特許文献１に記載の収納式椅子にあっては、前脚と後脚とが、脚座（ベース）から座受け（座体）まで延設されているため、使用者が椅子と机との間に足を踏み入れる際に、前脚が邪魔になることがある。また、常にガススプリングによって、座受けを前脚の上端の軸を支点として前方に回動付勢しているため、使用者が着席する際に、座受けが略垂直状態に傾斜されるようになっており、使用者の臀部を座受けの上面に配置し難くなり、使用者が着席し難いという問題がある。
【０００５】
本発明は、このような問題点に着目してなされたもので、脚支柱が前方に揺動されることで座体が机の天板の下方に収納される椅子において、使用者が着席する際に、椅子と机との間の空間に使用者が足を入れ易くすることができ、かつ使用者の臀部を座体の上面に配置し易くすることができる椅子を提供することを目的とする。
【課題を解決するための手段】
【０００６】
前記課題を解決するために、本発明の請求項１に記載の椅子は、
床に固定された机の後方に設置される椅子であって、
床に固定されたベースに対して前後方向に揺動可能に枢支された脚支柱を有し、該脚支柱の上端には、背凭れが固定された支持体が設けられ、該支持体に対して座体が屈曲自在に取り付けられるとともに、該座体の前端部から後端部までの前後幅を伸縮させる伸縮手段が前記支持体に設けられており、前記座体は、前記伸縮手段によって前記座体の前記前後幅が縮められることで該座体が側面視で略傘型形状をなす屈曲位置と、前記伸縮手段によって前記座体の前記前後幅が伸ばされることで該座体が側面視で略水平をなす水平位置と、の間で切り換え可能となっていることを特徴としている。
この特徴によれば、使用者が着席する際に、座体の前後幅が縮められて座体が側面視で略傘型形状になるため、座体が邪魔にならず、椅子と机との間の空間を広く形成して使用者が足を踏み入れ易くすることができ、かつ座体は側面視で略傘型形状をなしているため、使用者が着席する際に、使用者の臀部を屈曲位置の座体の略頂上に押し当てながら座体を水平位置に切り換えることができ、使用者の臀部を座体の上面に配置し易くなる。
【０００７】
本発明の請求項２に記載の椅子は、請求項１に記載の椅子であって、
前記伸縮手段は、前記支持体の前部に配置された左右方向を向く軸心に対して揺動されるリンク部材により構成されており、該リンク部材を介して前記座体の前部が前記支持体に取り付けられていることを特徴としている。
この特徴によれば、リンク部材によって簡素な構成で伸縮手段を設けることができ、かつ座体が屈曲位置に切り換わる際に、リンク部材の揺動によって座体の前部側を後方に移動できるようになり、椅子と机との間の空間を広く形成して使用者が足を踏み入れ易くすることができる。
【０００８】
本発明の請求項３に記載の椅子は、請求項１または２に記載の椅子であって、
前記脚支柱を前方に向けて付勢する脚支柱付勢手段が設けられていることを特徴としている。
この特徴によれば、使用位置にある椅子から使用者が離席するだけで、椅子の座体が机の天板の下方に収納される収納位置に、椅子が自動的に切り換わるようになり、使用者が椅子を収納位置に移動させる煩わしさがなくなる。
【０００９】
本発明の請求項４に記載の椅子は、請求項１ないし３のいずれかに記載の椅子であって、
前記座体を前記屈曲位置に向けて付勢する座体付勢手段が設けられていることを特徴としている。
この特徴によれば、水平位置にある座体から使用者が離席するだけで、座体が側面視で略傘型形状をなす屈曲位置に自動的に切り換わるようになり、使用者が座体を屈曲位置に切り換える煩わしさがなくなる。
【００１０】
本発明の請求項５に記載の椅子は、請求項１ないし４のいずれかに記載の椅子であって、
前記座体は、前後方向の略中央部に形成された屈曲部によって屈曲されるようになっており、前記水平位置の座体の前記屈曲部を下方から支持する座体支持部が、前記支持体に設けられていることを特徴としている。
この特徴によれば、座体支持部によって、水平位置の座体の屈曲部が使用者の体重によって下方に向かって屈曲しないように支持することができる。
【００１１】
本発明の請求項６に記載の椅子は、請求項１ないし５のいずれかに記載の椅子であって、
前記座体は、前後方向の略中央部に形成された屈曲部によって屈曲されるようになっており、前記座体の前端部から前記屈曲部までの前後幅よりも、前記座体の後端部から前記屈曲部までの前後幅が大きくなっていることを特徴としている。
この特徴によれば、使用者が着席する際に、使用者の臀部が、屈曲位置の座体の略頂上をなす屈曲部よりも若干後部側に押し当てられるようになり、使用者の臀部が座体の前部側の傾斜によって前方側に滑り落ちる虞がなくなる。
【発明を実施するための最良の形態】
【００１２】
本発明に係る椅子を実施するための最良の形態を実施例に基づいて以下に説明する。
【実施例】
【００１３】
本発明の実施例を図面に基づいて説明すると、先ず図１は、本実施例における机と椅子を示す側面図であり、図２は、椅子の全体像を示す分解斜視図であり、図３は、椅子の座体が屈曲された屈曲状態を示す斜視図であり、図４は、椅子が使用される使用状態を示す斜視図であり、図５は、椅子が収納される収納状態を示す縦断側面図であり、図６は、椅子の座体が屈曲された屈曲状態を示す縦断側面図であり、図７は、椅子が使用される使用状態を示す縦断側面図である。以下、図１及び図５〜図７の紙面左方側を椅子の正面側（前方側）として説明する。
【００１４】
図１の符号１は、大学や企業の講義室等に設置される本発明の適用された椅子１である。本実施例では、複数の机２が前後方向の所定間隔毎に床に固定されており、それぞれの机２の背面側には、複数の椅子１が床に固定された状態で設けられている。尚、特に図示はしないが、これらの机２は、左右横長に形成された講義室用の机２となっている。また、椅子１は机２に沿って左右方向に所定間隔毎に複数設けられている。
【００１５】
図２に示すように、本実施例の椅子１は、床面に固定されたベース３を有しており、このベース３には、脚支柱４が前後方向に揺動可能に枢着されている。また、脚支柱４の上端部には、支持体５が設けられており、この支持体５の後部には、上方に延びる背凭れ６が取り付けられている。更に、この支持体５の上方には、椅子１の座体７が配置されている。
【００１６】
図１に示すように、この椅子１の座体７は、その前後方向の略中央部に形成された屈曲部８が上昇または下降することで屈曲自在となっており、座体７の前端部から後端部にかけての前後幅が、座体７が屈曲及び水平に変形されることで伸縮されるようになっている。
【００１７】
具体的には、図１の紙面左側の椅子１に示すように、椅子１の不使用時には、脚支柱４は正面側に揺動されて前方に傾くようになっているとともに、座体７の形状が、その前部７ａ及び後部７ｂにより側面視で略傘型形状を成すように屈曲されている。尚、図１の紙面左側の椅子１の状態を、本実施例における椅子１の収納状態と称する。この収納状態では、座体７が机２の天板９下方に収納されて、椅子１が邪魔にならずに済むようにできる。
【００１８】
尚、椅子１の収納状態では、椅子１と、該椅子１の背面側に設けられた机２との間の空間を、使用者Ｕが通行できるようになっている。更に尚、椅子１の座体７が側面視で略傘型形状に屈曲された状態を、本実施例における座体７の屈曲位置とする（図３参照）。また、いすの座体７が水平な状態を、本実施例における座体７の水平位置とする（図４参照）。
【００１９】
また、図１の紙面中央の椅子１に示すように、収納状態から使用者Ｕが椅子１の背凭れ６を掴んで後方に倒した状態とすることができる。この状態は、座体７の形状は側面視で前部７ａと後部７ｂとが前後方向の略中央部の屈曲部８から傾斜されている略傘型形状となっている。尚、図１の紙面中央の椅子１の状態を、本実施例における椅子１の屈曲状態と称する。この屈曲状態では、使用者Ｕが椅子１と該椅子１の正面側に設けられた机２との間の空間に足を容易に踏み入れることができる。
【００２０】
更に、図１の紙面右側の椅子１に示すように、使用者Ｕが屈曲状態の椅子１の座体７に腰掛けると、使用者Ｕの臀部により、椅子１の座体７が屈曲位置から下方に押圧されて、水平位置に切り換わる。尚、図１の紙面右側の椅子１の状態を、本実施例における椅子１の使用状態（着座可能状態）と称する。
【００２１】
次に、椅子１の構成について詳述する。図２及び図３に示すように、脚支柱４の下端部がベース３に枢着されており、ベース３の内部には、脚支柱４を正面側（前方側）に付勢する本実施例における脚支柱付勢手段としてのコイルバネ１０が配置されている。このようにすることで、脚支柱４はコイルバネ１０の付勢力によって正面側に揺動可能に弾性付勢され、椅子１の不使用時には、自動的に椅子１を収納状態にすることができる。
【００２２】
また、脚支柱４の上端に設けられた支持体５は、前後方向の延びるフレーム部材となっている。この支持体５には、その前部に貫通孔５ａが設けられるとともに、その後部に貫通孔５ｂが設けられている。更に、支持体５には、後述するように、水平位置となった座体７の屈曲部８を下方から支持する座体支持部１１が設けられている。
【００２３】
更に、支持体５の貫通孔５ａには、本実施例における軸心としての左右方向を向く枢軸１２ａが挿通されている。この枢軸１２ａには、第１リンク部材１３，１３の下端が前後方向に揺動可能に枢着されている。
【００２４】
支持体５の後部の貫通孔５ｂには、円柱部５ｃが挿通されて固定されている。この円柱部５ｃの左右には、第２リンク部材１４，１４が前後揺動可能に枢着されている。更に、円柱部５ｃの左右端部には、背凭れ６の下端部が固定されている。
【００２５】
尚、図５に示すように、ブラケット１７，１７が座体７の前部７ａ下面に取り付けられており、座体７は第１リンク部材１３，１３及びブラケット１７，１７を介して支持体５に取り付けられている。更に尚、第２リンク部材１４，１４は座体７の後部７ｂ下面に取り付けられている。
【００２６】
更に、図５に示すように、第１リンク部材１３，１３と支持体５との間には、本実施例における座体付勢手段としてのコイルバネ１５が設けられている。また、第２リンク部材１４，１４と支持体５間には、同じく本実施例における座体付勢手段としてのコイルバネ１６が設けられている。これらコイルバネ１５，１６は、座体７を水平位置から屈曲位置に切り換えるために設けられており、第１リンク部材１３，１３及び第２リンク部材１４，１４を背面側に向かって回動付勢している。
【００２７】
尚、第１リンク部材１３，１３と、第２リンク部材１４，１４と、コイルバネ１５，１６によって、本実施例における伸縮手段が構成されている。更に尚、コイルバネ１５は、コイルバネ１６よりも強い付勢力を有している。更に尚、座体付勢手段としてのコイルバネ１５は、少なくとも第１リンク部材１３，１３側に設けられていればよく、第２リンク部材１４，１４側のコイルバネ１６を省略してもよい。
【００２８】
また、図２及び図３に示すように、第１リンク部材１３，１３の上端には、座体７の前部７ａ下面に取り付けられたブラケット１７，１７の下部が枢軸１２ｂによって枢着されている。更に、第２リンク部材１４，１４の上端部は、座体７の後部７ｂ下面に取り付けられている。
【００２９】
更に、図５に示すように、座体７は、可撓性を有する合成樹脂材等により製造される板体で構成されており、座体７の後部７ｂの前後幅Ｌ２は、座体７の前部７ａの前後幅Ｌ１よりも、大きくなるように形成されている（Ｌ２＞Ｌ１）。
【００３０】
また、図３及び４に示すように、座体７の下面おける前後方向の略中央部には、３条の溝条８ａ，８ａ，８ａが左右方向に亘って形成されている。この溝条８ａ，８ａ，８ａによって屈曲部８が構成されている。このようにすることで、座体７の厚みは屈曲部８で部分的に薄く形成されるので、座体７を、屈曲部８で前部７ａと後部７ｂとに分けられて容易に屈曲させることができる。
【００３１】
次に、この椅子１の動作について詳述する。先ず、図５に示すように、不使用時における椅子１は、ベース３内に設けられたコイルバネ１０の付勢により前方に傾斜した収納状態となっている。座体７は、支持体５内に設けられたコイルバネ１５，１６の付勢により座体７の屈曲部８が上昇した屈曲位置に切り換わっている。
【００３２】
椅子１を使用する際には、使用者Ｕが収納状態の椅子１の背凭れ６を背面側に引くことにより、脚支柱４を背面側に揺動させて、椅子１を図６に示す屈曲状態とする。このとき座体７は、前部７ａが正面側に向かって傾斜しているとともに、後部７ｂは背面側に向かって傾斜している屈曲位置ままとなっている。
【００３３】
また、椅子１が屈曲状態になったら、使用者Ｕは、机２と椅子１間の空間に足を踏み入れる。このとき、椅子１は背面側に傾斜し、かつ座体７の屈曲部８が上方に向かって屈曲していることで前後幅Ｌ３が短くなっているた。そのため座体７が邪魔にならずに、使用者Ｕは、足を伸ばしたまま机２と椅子１間の空間に踏み入ることができる。
【００３４】
そして、椅子１は、使用者Ｕが座体７の後部７ｂに腰掛けることによって、座体７が使用者Ｕの臀部によって上方から押圧されて、図７に示すように、第１リンク部材１３，１３及び第２リンク部材１４，１４が正面側（前方側）に揺動し、座体７が水平位置に切り換わり、椅子１が使用状態となる。このとき、座体７の下面における屈曲部８には、下方から座体支持部１１の上面が当接し、座体７の屈曲部８が座体支持部１１によって支持される。尚、この水平位置の座体７の前後幅Ｌ４は、屈曲位置の座体７の前後幅Ｌ３よりも大きくなっている（Ｌ４＞Ｌ３）。
【００３５】
尚、図５に示すように、本実施例における椅子１の座体７は、座体７の後部７ｂの前後幅Ｌ２が、座体７の前部７ａの前後幅Ｌ１よりも、大きくなるように形成されているため、図６に示すように、使用者Ｕが腰掛ける際に、使用者Ｕの臀部が座体７の後部７ｂに乗り易いようになっている。そのため第１リンク部材１３，１３及び第２リンク部材１４，１４がスムーズに正面側（前方側）に揺動され、座体７が水平位置に切り換わり易くなっている。
【００３６】
また、使用者Ｕが椅子１に腰掛けている状態では、使用者Ｕの体重が座体７の前部７ａ及び後部７ｂを付勢するコイルバネ１５，１６の付勢力に抗し、座体７が水平位置から屈曲位置へ切り換わらないようになっている。
【００３７】
尚、椅子１を図７に示す使用状態から図５に示す収納状態に戻す際には、使用者Ｕの臀部が座体７の上面から離れることで、コイルバネ１５，１６の付勢力により座体７が水平位置から屈曲位置に切り換わる。
【００３８】
このとき、第１リンク部材１３，１３は、コイルバネ１５の付勢力によって第２リンク部材１４，１４よりも背面側に揺動されるため、座体７の前部７ａと後部７ｂとで揺動される距離に差が生じる。このため、前部７ａが屈曲部８を介して後部７ｂを押圧することで屈曲部８が上昇し、座体７は、その前部７ａが正面側に向けて傾斜するとともに、その後部７ｂが背面側に向けて傾斜する側面視で略傘型形状となる。
【００３９】
同時に、ベース３内に配置されたコイルバネ１０の付勢力により脚支柱４が正面側に揺動され、座体７が天板９の下方位置になる収納状態となる。尚、このときコイルバネ１０，１５，１６の付勢力を適宜設定しておくことで、座体７が即座に屈曲位置に切り換わらないように調整してもよいし、脚支柱４が正面側に揺動された後に、座体７が屈曲位置に切り換わるように調整してもよい。
【００４０】
以上、本実施例の椅子１では、床に固定されたベース３に対して前後方向に揺動可能に枢支された脚支柱４を有し、脚支柱４の上端には、背凭れ６が固定された支持体５が設けられ、支持体５に対して座体７が屈曲自在に取り付けられるとともに、座体７の前端部から後端部までの前後幅を伸縮させるリンク部材１３，１４が支持体５に設けられており、座体７は、リンク部材１３，１４によって座体７の前後幅が縮められることで座体７が側面視で略傘型形状をなす屈曲位置と、リンク部材１３，１４によって座体７の前後幅が伸ばされることで座体７が側面視で略水平をなす水平位置と、の間で切り換え可能となっていることで、使用者Ｕが着席する際に、座体７の前後幅が縮められて座体７が側面視で略傘型形状になるため、座体７が邪魔にならず、椅子１と机２との間の空間を広く形成して使用者Ｕが足を踏み入れ易くすることができ、かつ座体７は側面視で略傘型形状をなしているため、使用者Ｕが着席する際に、使用者Ｕの臀部を屈曲位置の座体７の略頂上に押し当てながら座体７を水平位置に切り換えることができ、使用者Ｕの臀部を座体７の上面に配置し易くなる。
【００４１】
また、第１リンク部材１３，１３を介して座体７の前部７ａが支持体５に取り付けられていることで、第１リンク部材１３，１３によって簡素な構成で伸縮手段を設けることができ、かつ座体７が屈曲位置に切り換わる際に、第１リンク部材１３，１３の揺動によって座体７の前部７ａ側を後方に移動できるようになり、椅子１と机２との間の空間を広く形成して使用者Ｕが足を踏み入れ易くすることができる。
【００４２】
また、脚支柱４を前方に向けて付勢するコイルバネ１０が設けられていることで、使用位置にある椅子１から使用者Ｕが離席するだけで、椅子１の座体７が机２の天板９の下方に収納される収納位置に、椅子１が自動的に切り換わるようになり、使用者Ｕが椅子１を収納位置に移動させる煩わしさがなくなる。
【００４３】
また、座体７を屈曲位置に向けて付勢するコイルバネ１５，１６が設けられていることで、水平位置にある座体７から使用者Ｕが離席するだけで、座体７が側面視で略傘型形状をなす屈曲位置に自動的に切り換わるようになり、使用者Ｕが座体７を屈曲位置に切り換える煩わしさがなくなる。
【００４４】
また、水平位置の座体７の屈曲部８を下方から支持する座体支持部１１が、支持体５に設けられていることで、座体支持部１１によって、水平位置の座体７の屈曲部８が使用者Ｕの体重によって下方に向かって屈曲しないように支持することができる。
【００４５】
また、座体７の前端部から屈曲部８までの前後幅Ｌ１よりも、座体７の後端部から屈曲部８までの前後幅Ｌ２が大きくなっていることで、使用者Ｕが着席する際に、使用者Ｕの臀部が、屈曲位置の座体７の略頂上をなす屈曲部８よりも若干後部側に押し当てられるようになり、使用者Ｕの臀部が座体７の前部７ａ側の傾斜によって前方側に滑り落ちる虞がなくなる。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、前記実施例では、座体７を可撓性を有する樹脂材により製造された板体としたが、木材や金属材等の板体により前部と後部を個別に製造し、屈曲部としての蝶番で前部と後部を連結して座体７としてもよい。
【００４８】
また、前記実施例では、座体７を可撓性を有する樹脂材により製造された板体としているが、前後方向の中央部で屈曲可能なフレーム部材をメッシュ状の布地を取り付けた部材で座体を製造するようにしてもよい。
【００４９】
また、前記実施例では、座体７を可撓性を有する樹脂材により製造された板体としているが、座体７の前部７ａ及び後部７ｂを硬質の合成樹脂材により形成するとともに、屈曲部をエラストマー等の可撓性を有する軟質の合成樹脂材により形成し、座体７の前部７ａ及び７ｂと屈曲部８とを、この２種類の合成樹脂材により成形する２色成形加工により製造してもよい。
【００５０】
また、前記実施例では、第１リンク部材１３，１３と支持体５の前端部との間にコイルバネ１５を設けるとともに、第２リンク部材１４，１４と支持体５の後端部との間にコイルバネ１６を設けることで、座体付勢手段としているが、座体７の前部７ａ下面に取り付けられたブラケット１７，１７と、後部７ｂ下面に取り付けられた第２リンク部材１４，１４との間に、付勢力を有する座体付勢手段としての伸縮バネを渡設し、この伸縮バネの付勢力によって、座体７の前部７ａと後部７ｂとを引き合って座体７を屈曲させるようにしてもよい。
【００５１】
また、前記実施例では、使用状態である椅子１に使用者Ｕが着席している状態から、使用者Ｕの臀部が座体７から離れることで、コイルバネ１０の付勢力によって椅子１の座体７が机２の天板９下方に収納される収納状態となるようにしたが、背凭れ６の背面側に使用者Ｕのバッグ等の荷物を吊持するフックを設けることで、このフックに吊持した荷物の荷重によって、使用者Ｕが座体７から離れても、椅子１が使用状態から収納状態に移行しないように規制するようにしてもよい。
【００５２】
また、前記実施例では、使用状態である椅子１に使用者Ｕが着席している状態から、使用者Ｕの臀部が座体７から離れることで、コイルバネ１０の付勢力によって椅子１の座体７が机２の天板９下方に収納される収納状態となるようにしたが、ベース３にコイルバネ１０の付勢力を規制するストッパー等を設けることで、使用者Ｕが座体７から離れても、椅子１が使用状態から収納状態に移行しないように規制するようにしてもよい。
【００５３】
また、前記実施例では、本発明が適用された椅子１を、大学や企業の講義室等に設置される椅子１として説明したが、椅子１が設置される場所は飲食店等の講義室以外の場所でもよい。
【図面の簡単な説明】
【００５４】
【図１】本実施例における机と椅子を示す側面図である。
【図２】椅子の全体像を示す分解斜視図である。
【図３】椅子の座体が屈曲された屈曲状態を示す斜視図である。
【図４】椅子が使用される使用状態を示す斜視図である。
【図５】椅子が収納される収納状態を示す縦断側面図である。
【図６】椅子の座体が屈曲された屈曲状態を示す縦断側面図である。
【図７】椅子が使用される使用状態を示す縦断側面図である。
【符号の説明】
【００５５】
１                椅子
２                机
３                ベース
４                脚支柱
５                支持体
５ａ，５ｂ        貫通孔
５ｃ              円柱部
６                背凭れ
７                座体
７ａ              前部
７ｂ              後部
８                屈曲部
８ａ              溝条
９                天板
１０              コイルバネ（脚支柱付勢手段）
１１              座体支持部
１２ａ，１２ｂ    枢軸（軸心）
１３              第１リンク部材（伸縮手段）
１４              第２リンク部材（伸縮手段）
１５，１６        コイルバネ（座体付勢手段，伸縮手段）
【図１】
2009172087.tif 000003
【図２】
2009172087.tif 000004
【図３】
2009172087.tif 000005
【図４】
2009172087.tif 000006
【図５】
2009172087.tif 000007
【図６】
2009172087.tif 000008
【図７】
2009172087.tif 000009